(57)【要約】【課題】換気扇の汎用性を向上させ、在庫の機種別管理が不要となり、機種の選定や品質管理が容易な換気扇を提供する。【解決手段】本発明に係る換気扇１０は、本体ケーシング１１内に収容される給排気用送風機１４，１５と、この送風機１４，１５の送風量を作動制御する作動制御手段３０と、この作動制御手段３０を多段式に切り換える風量切換スイッチ３２と、この風量切換スイッチ３２のスイッチ切換位置を、建物の部屋の大きさで表示する表示手段３５とを備え、前記風量切換スイッチ３２はスイッチ切換操作により、換気風量を選択的に多段調節設定可能に構成したものである。【選択図】  図２
2005155940.tif 000002
【特許請求の範囲】
【請求項１】
本体ケーシング内に収容される給排気用送風機と、
この送風機の送風量を作動制御する作動制御手段と、
この作動制御手段を多段式に切り換える風量切換スイッチと、
この風量切換スイッチのスイッチ切換位置を、建物の部屋の大きさで表示する表示手段とを備え、前記風量切換スイッチはスイッチ切換操作により、換気風量を選択的に多段調節設定可能に構成したことを特徴とする換気扇。
【請求項２】
前記本体ケーシングの前面を着脱自在に覆うフロントカバーを設け、上記本体ケーシングあるいはフロントカバー内に、建物の部屋の広さと換気回数とスイッチ切換位置表示の関係を表示する対応表を設けた請求項１記載の換気扇。
【請求項３】
建物の部屋の広さと換気回数とスイッチ切換位置表示の関係を表示する対応表を取扱説明書あるいは取付説明書に設けた請求項１記載の換気扇。
【請求項４】
前記表示手段は、使用される機会の多い換気回数を基準とした畳数表示を行なう一方、表示手段に表示された風量切換スイッチの１つのスイッチ切換位置を複数の換気回数に適応させ、上記風量切換スイッチは、１つのスイッチ切換位置が適応する複数の換気回数のうち必要送風量が大きい方に送風機の能力を合わせるように作動制御手段を調節設定した請求項１記載の換気扇。
【発明の詳細な説明】
【技術分野】
【０００１】
本発明は、風量を切り換えることのできる換気扇に係り、特に建物の居室内の部屋の広さに応じて最適な換気風量を選択的に得ることができる汎用性の高い換気扇に関する。
【背景技術】
【０００２】
建物に関する建築基準法が改正され、平成１５年７月１日以降の着工分から建物の全ての居室に換気設備を備えることが義務化された。建物の室内換気に必要とされる換気設備の換気能力は、使用建材の種類により、換気回数が０．５回／時または０．７回／時と設定されている。換気回数が０．５回／時とは、換気扇を１時間作動させたとき、室内空気の半分が外の空気を入れ換えることをいう。
【０００３】
換気設備の義務付けにより、建物を新築する場合、工務店、工事店、建築士側が作成する建築確認申請書に、換気設備による換気回数の記載が義務付けされた。そして、建築途上の中間検査・完了検査申請書には、換気設備による「圧力損失に係る計算書」が必要となる。
【０００４】
しかしながら、建物の間取り等を計算した上で居室の換気プランを作成し、換気計算を行なっているが、この換気計算は工務店、工事店、建築士等にとって大きな負担となっている。建物内の各居室の換気計算は、時間と手間隙の労力が大変掛かる作業となっていた。
【０００５】
従来の換気扇として、特開平３−１１７８４３号公報（例えば、特許文献１）に開示されたものがある。
【０００６】
この換気扇は、一居室完結型の同時給排気換気扇で建物の室内の側壁に設けられる壁掛けタイプのものである。この換気扇は、ボックス状の本体ケーシング内に給排気用送風機を収容し、この送風機の作動により、１台で室内の部屋の給排気を行ない得る構造となっている。
【特許文献１】特開平３−１１７８４３号公報
【発明の開示】
【発明が解決しようとする課題】
【０００７】
従来の換気扇で建物の室内空調を行なう場合、室内の換気を換気扇で行なうだけであり、建物の間取りに応じた必要な換気風量や換気回数に関する考慮はなされていない。
【０００８】
また、従来は、換気風量の異なる換気扇を数種類用意し、これらの換気扇群の中から建物の間取りに適したと思われる換気扇を選択しており、選択された換気扇を建物の室内側壁に据え付けるようになっている。
【０００９】
しかしながら、従来の換気扇では、建物の間取りに応じた換気風量あるいは最適な換気回数は考慮されていないが、換気風量の異なる換気扇を製造メーカ側で数機種用意する必要があり、数機種のラインアップが必要となる。数機種の換気扇を用意すると、必然的に１機種当りの生産台数が少なくなり、生産コストが上昇する一方、工務店側では在庫として数機種の換気扇を品揃えする必要がある。このため、無駄な在庫スペースを必要としたり、数機種の換気扇の中から機種設定をその都度行なわなければならず、手間隙が掛かる等の問題があった。
【００１０】
本発明は、上述した事情を考慮してなされたもので、汎用性を向上させて在庫の機種別管理が不要となり、機種の選定や品質管理が容易な換気扇を提供することを目的とする。
【００１１】
本発明の他の目的は、１機種で建物の間取りの大きさやバリエーションに対応でき、建物の間取りに応じて最適な換気風量が選択的に得られる換気扇を提供することにある。
【課題を解決するための手段】
【００１２】
本発明に係る換気扇は、上述した課題を解決するために、請求項１に記載したように、本体ケーシング内に収容される給排気用送風機と、この送風機の送風量を作動制御する作動制御手段と、この作動制御手段を多段式に切り換える風量切換スイッチと、この風量切換スイッチのスイッチ切換位置を、建物の部屋の大きさで表示する表示手段とを備え、前記風量切換スイッチはスイッチ切換操作により、換気風量を選択的に多段調節設定可能に構成したものである。
【発明の効果】
【００１３】
本発明に係る換気扇は、汎用性を向上させて在庫の機種別管理が不要となり、多機種をラインアップさせる必要がなく、機種の選定や品質管理が容易となり、取付作業ミスを確実にかつ未然になくすことができる。
【００１４】
さらに、この換気扇は多機種のラインアップが不要で１機種でも建物の種々の間取りの大きさやバリエーションに対応させることができ、建物の居室の間取りに応じて最適な換気風量を得ることができる。
【発明を実施するための最良の形態】
【００１５】
本発明に係る換気扇の実施形態について添付図面を参照して説明する。
【００１６】
図１および図２は、本発明に係る換気扇の第１実施形態を示す斜視図である。
【００１７】
図において、符号１０は、建物の室内の側壁に壁掛けされる一居室完結型の同時給排気型換気扇である。この換気扇１０は、ボックス状の本体ケーシング１１の前面に本体カバーであるフロントカバー１２が着脱自在に取り付けられる。フロントカバー１２は、本体ケーシング１１の前面開口側を覆うように、前面側の上面及び下面が湾曲面をなすように側面視半円形または半楕円形状で、幅方向に長い形状に筐体が形成される。フロントカバー１２は換気扇１０の壁掛け状態において、前方に取り外しが可能になっている。
【００１８】
なお、このフロントカバー１２の形状は、上記形状に限定されるものではなく、側面視矩形形状あるいは他の形状に構成させたものでもよい。
【００１９】
本体ケーシング１１には、背面に、室内の壁を貫通し屋外と連通する排気ダクトと給気ダクトの室内側端部が接続される排気口と給気口(共に図示せず)が左右に隣接して区画形成され、左側面に、室内空気を本体ケーシング１１内に導入する排気用吸込口１３が形成される。
【００２０】
また、本体ケーシング１１内には、図２に示すように、送風量を多段切換可能な排気用送風機１５と給気用送風機１４とが左右に設けられる。給気用送風機１４と排気用送風機１５とは個別のファンモータで駆動させても、１つの共通ファンモータで駆動させてもよい。
【００２１】
図２では、本体ケーシング１１内の前面から見て左側部分の排気用送風機１５には、ファンケーシング１６内に遠心式多翼ファン（図示せず）を収納しており、排気用送風機１５の吸込口は本体ケーシング１１左側面の排気用吸込口１３と対向し、その吹出口は本体ケーシング１１の背面側周面の背面排気口と連通している。排気用送風機１５はファンケーシング１６の右側にこのファンを駆動するファンモータ(図示せず)を備えている。
【００２２】
また、本体ケーシング１１内の略中央部には、前記本体ケーシング１１の背面給気口と連通され、左右側面を仕切壁２０，２０で、前面部を側面視半楕円状の遮蔽パネル２０で区画したケーシング内部に給気通路（図示せず）が構成される。
【００２３】
この給気通路内は、中央部より左側部分に本体ケーシング１１背面の給気口が配置され、中央部より右側部分に給気用送風機１４が設置される。この給気用送風機１４はファンケーシング(図示せず)に遠心式多翼ファン(図示せず)を収納しており、その右側に送風（多翼）ファンを駆動するファンモータ１７を備えた構成とされる。給気用送風機１４の吸込口はファンケーシングの左側に、吹出口はファンケーシングの上部周壁にそれぞれ形成される。
【００２４】
この給気通路内の中央部には、本体ケーシング背面の給気口（外気取入口）から導入された外気のゴミ、ダスト等の異物を除去するエアフィルタ２３が前面側より着脱自在に設けられる。
【００２５】
なお、排気用送風機１５のファンモータは左側面仕切壁２０右側の給気通路内に設置され、このファンモータと送風ファンとは仕切壁２０を貫通する回転軸で接続される。また、給気用送風機１４のファンモータ１７は右側面仕切壁２０右側の本体ケーシング１１内のスペースに収納され、ファンモータ１７と送風ファンとは仕切壁２０を貫通する回転軸で接続される。
【００２６】
排気吸込口１３から延びる排気通路２５は、排気用送風機１５を経て図示しない排気ダクトに連通され、この排気ダクトを介して室内空気を建物の室外に排出するようになっている。
【００２７】
一方、建物には、排気ダクトとともに、給気ダクト（図示せず）が側壁を貫いて設けられており、この給気ダクトを通る外気は、フィルタ２３から給気用送風機１４により給気通路に案内され、この給気通路を通り給気吹出口２４から室内に吹き出される。
【００２８】
なお、給気ダクトと排気ダクトは共通ダクトに構成し、１つの共通ダクト内を仕切板で仕切って給排気ダクトに形成してもよい。給排気ダクトの室外側には、雨水などの侵入を防ぐフード（図示せず）が設けられている。
【００２９】
また、本体ケーシング１１内に収容された排気用送風機１５および給気用送風機１４には、各ファンモータ１７の駆動を制御する作動制御手段として制御ボックス３０が設けられる。この制御ボックス３０は、例えばインバータ制御回路等のモータ駆動制御手段であり、給気用ファンモータ１７の上方あるいは前上方に配置され、かつ仕切壁２０の側端部に設けられる。制御ボックス３０には長穴３１が形成されており、この長穴３１から風量切換スイッチ３２が側方に突出して設けられる。
【００３０】
風量切換スイッチ３２は、スライドして多段切換可能なタップとしてのスイッチ部材３３を有し、このスイッチ部材３３を長穴３１に沿ってスライド操作させることにより、送風機１４，１５のファンモータ１７を多段切換可能に駆動させるようになっている。風量切換スイッチ３２は、そのスライド切換操作により、送風機１４，１５の送風量を多段切換可能に変化させるようになっている。風量切換スイッチ３２は図３では３段切換可能な例が示されている。４段以上切換可能に形成してもよい。
【００３１】
風量切換スイッチ３２には、スイッチ部材３３のスライド方向に沿って、具体的には長穴３１の長手方向に沿って、スイッチ切換位置を機能表示する表示手段として表示目盛あるいは表示プレート３５が設けられる。表示目盛３５は、建物の居室の部屋の広さを、図３に示すように畳数表示で表している。表示目盛３５には、部屋の広さを、例えば６，８，１０畳と、畳数で表示している。
【００３２】
他方、改正された建築基準法では、平成１５年７月１日以降の着工分から建物の居室に備えられる換気設備には、使用される建材により換気回数が０．５回／時または０．７回／時と定められ、必要な換気能力が設定されている。実際には、建物にはホルムアルデヒドの発散量が少ない建材が使用されるケースが多く、必要な換気回数は０．５回／時が殆どを占めると思われるので、換気回数０．５回／時を換気能力を表わす主位的基準（標準）として畳数の表示を行なって標準設定する。換気回数０．７回／時を副時的（二次的）基準とした畳数の表示に合せて風量切換スイッチ３２を切り換える。
【００３３】
さらに、本体ケーシング１１内設置の送風機１４，１５には、図４に示すように、プレート状の対応表３７が設けられる。この対応表３７は、建物内の居室の部屋の大きさ（畳数表示）と換気回数と風量切換スイッチ表示との関係を一覧表示するテーブルであり、送風機１４，１５を前方から覆う遮蔽パネル２１のファンケーシング１８の前面側に取り付けられる。
【００３４】
なお、図２において、符号３８は電源ＯＮ−ＯＦＦ用の電源スイッチであり、符号３９は給気通路・排気通路の通路開閉用操作レバーである。
【００３５】
次に、換気扇１０の作用を説明する。
【００３６】
この換気扇１０は、建物の居室の側壁に壁掛けタイプとして据え付けられ、電源にコード接続させることにより使用可能となる。
【００３７】
据え付けられた換気扇１０は、フロントカバー１２を本体ケーシング１１から取り外すことにより、前面が開放され、給排気用送風機１４，１５を覆う遮蔽パネル２１および風量切換スイッチ３２が外部に露出する。室内側から送風機の遮蔽パネル２１に取り付けられた対応表３７を確認でき、風量切換スイッチ３２の切換操作が可能となっている。
【００３８】
作業員は、建物の居室の部屋の大きさを畳数で確認し、かつ建物に使用される建材を確認して、風量切換スイッチ３２のスイッチ切換設置位置が標準設置位置で良いか否か判断する。標準設置位置で良い場合には、風量切換スイッチ３２の表示目盛３５を畳数表示に合せる。
【００３９】
最近は、建物に使用される建材にホルムアルデヒドの発散量が少ない材料が用いられるので、風量切換スイッチ３２の切換設置位置は標準設置位置で殆ど足りる。しかし、建物に使用される建材如何により、また、より大きな換気能力を求める場合には、換気回数が０．７回／時の副次的（二次的）基準が採用される。
【００４０】
この副次的基準を採用する場合には、対応表３７を参照して、建物の居室の部屋の大きさ（畳数）と風量切換スイッチ３２のスイッチ切換位置との関係を確認し、換気回数が０．７回／時に合うように、部屋の大きさに応じて風量切換スイッチ３２のスイッチ切換位置を合せるように切換セットする。
【００４１】
一方、風量切換スイッチ３２は、多段切換可能に例えば３段切換可能にセットされ、スイッチ切換位置を表示目盛３５の６畳に合せると、６畳間の部屋で換気回数０．５回／時の換気能力が得られるように、送風機１３の送風量が設定される。送風機１４，１５は、風量切換スイッチ３２が各スイッチ切換位置をとるときの風量計算が予めされており、各スイッチ切換位置における換気風量が予め調節設定されている。また、風量切換スイッチ３２のスイッチ部材３３を８畳や１０畳に合せると、８畳間や１０畳間の部屋で換気回数０．５回／時の換気能力が得られるようにほぼ換気風量が調節設定されている。
【００４２】
風量切換スイッチ３２の切換操作により、６畳間で換気回数が０．７回／時を得るためには、対応表３７を確認し、スイッチ部材３３を表示目盛３５の８畳に合せるように切換セットすればよい。
【００４３】
風量切換スイッチ３２の切換調節後、フロントカバー１２を本体ケーシング１１に前方から取り付けることにより、換気扇１０は直ちに使用可能となる。
【００４４】
この換気扇１０において、風量切換スイッチ３２の切換調節を、換気扇１０を側壁据付後に行なうようにしたが、建物の居室の広さと使用された建物の建材を確認し、据付前にスイッチ切換位置を調節設定しておいてもよい。
【００４５】
この換気扇１０においては、建物の居室の部屋の広さと居室の必要換気回数から換気風量を予め計算して求めておき、部屋の広さを畳数表示に換算して風量切換スイッチ３２の切換操作により送風機１４，１５のファンモータ１７を多段に作動制御できるようになっている。
【００４６】
したがって、建物の居室の部屋の広さと必要な換気回数とから、風量切換スイッチ３２を選択的に切換操作するだけで、居室に必要な換気回数を確保することができる。建物の居室の部屋の大きさが種々異なっても、部屋の大きさに応じて換気扇１０を多機種用意する必要がなく、１機種で足りる。この換気扇１０は汎用性を向上させることができ、１台の換気扇１０で部屋の広さに応じた換気能力を選択するように調節設定でき、多機種をラインアップさせる必要がない。したがって、在庫の機種別管理や機種の選定が不要となり、このため品質管理が容易となって、取付作業ミスを確実に防ぐことができる。
【００４７】
また、風量切換スイッチ３２は、使用される機会の多い条件を主位的基準とする畳数表示の表示目盛３５を表示手段として備えたので、換気扇１０を標準使用する場合には、風量切換スイッチ３２のスイッチ部材３３を表示目盛３５に合せるだけで、所望の換気能力を発揮させる換気扇１０を得ることができる。
【００４８】
さらに、換気扇１０には対応表３７を備え、表示目盛３５に表示された１つの畳数表示に対して複数の換気回数を適用させることができる。具体的には、換気回数と畳数の関係が近接する条件に注目して整理し、対応表３７に表示される畳数で、０．５回／時の換気回数と０．７回／時の換気回数のように、近似する換気能力を表示し、各換気能力で換気扇１０を運転させる場合に部屋の広さを確認して必要な風量切換スイッチ３２のスイッチ目盛位置を、切換スイッチ表示に合せればよいことを示している。
【００４９】
風量切換スイッチ３２のタップとしてのスイッチ部材３３を、表示目盛３５に合せることで、標準使用状態の換気回数（０．５回／時）の換気能力で運転中の畳数をダイレクト表示する一方、副次的使用状態の換気回数（０．７回／時）の換気能力に合せることができる。このように、風量切換スイッチ３２の位置切換位置に複数、例えば２つの換気回数を兼用させることにより、風量切換スイッチ３２のタップを少なくすることができる。例えば、８畳の換気回数０．５回／時の切換能力と６畳の換気回数０．７回／時の換気能力とが近接あるいは近似しているため、同一のタップ（スイッチ切換位置）とすることができ、このとき送風機１３に必要な送風量は、必要な換気風量が大きい６畳の０．７回／時換気に必要な換気風量を基準として調節設定され、合せられる。
【００５０】
すなわち、風量切換スイッチ３２は、１つのスイッチ切換位置で複数、例えば２つの換気回数に適応させることができ、複数の換気回数に必要な換気風量、すなわち送風機１３の送風量は、必要換気風量が大きい（０．７回／時の換気回数）方で送風機の能力が合せられるように制御ボックス３０で予め調節設定されている。
【００５１】
なお、本発明の一実施形態においては、風量切換スイッチをスライド切換操作させる例を示したが、回転切換操作させるようにしてもよい。また、対応表は送風機のファンケーシングに取り付けた例を示したが、本体ケーシングの側壁に取り付けても、また、フロントカバーの内壁に取り付けてもよい。さらに、対応表は、換気扇の取扱説明書や取付説明書に設けてもよい。
【００５２】
また、風量切換スイッチのタップであるスイッチ部材を本体ケーシング内に収容した例を示したが、このスイッチ部材を本体ケーシングから側外方に突出させ、外部からスイッチ部材を直接操作できるようにしてもよい。
【図面の簡単な説明】
【００５３】
【図１】本発明に係る換気扇の一実施形態を示す取付状態の斜視図。
【図２】本発明に係る換気扇からフロントカバーを取り外した状態を示す図。
【図３】本発明に係る換気扇を側方から見た側面図。
【図４】本発明に係る換気扇の作動態様である対応表を示す図。
【符号の説明】
【００５４】
１０…換気扇、１１…本体ケーシング、１２…フロントカバー、１３…排気用吸込口、１４…給気用送風機、１５…排気用送風機、１６…ファンケーシング、１７…給気用ファンモータ、２０…仕切壁、２１…遮蔽パネル、２４…給気吹出口、２５…排気通路、３０…制御ボックス（作動制御手段）、３１…長穴、３２…風量切換スイッチ、３３…スイッチ部材、３５…表示目盛あるいは表示プレート（表示手段）、３７…対応表。
【図１】
2005155940.tif 000003
【図２】
2005155940.tif 000004
【図３】
2005155940.tif 000005
【図４】
2005155940.tif 000006